(57)【要約】【課題】ブラウザ表示機能付き携帯端末の認証方法において、携帯端末からの簡単な入力作業で認証を行うことができ、ウェブサイトの安全性確保と利便性を両立できる。【解決手段】サーバ装置は、携帯端末よりウェブサイトのＵＲＬが入力されると（＃１）、すなわちウェブサイトへのログイン要求があると、当該ウェブサイトに対応する個体識別情報の登録がなく（＃３でＮＯ）、代理認証番号の登録がある場合は（＃５でＹＥＳ）、代理認証番号の入力画面を携帯端末に表示する（＃６）。そして、携帯端末より代理認証番号が入力されると（＃７）、その入力された代理認証番号と登録されている代理認証番号が一致すれば（＃８でＹＥＳ）、当該ウェブサイトへのログインを許可し、前回ログインのあった日時を携帯端末に表示して（＃１２）、その後、携帯端末からの要求に応じて、ウェブサイトのコンテンツを携帯端末に表示する（＃１３）。【選択図】図４
2005332282.tif 000002
【特許請求の範囲】
【請求項１】
インターネットを介して携帯端末の接続されるサーバ装置がインターネットを介して閲覧可能なウェブ情報を記憶し、
前記サーバ装置は、
前記ウェブ情報を個人を識別するユーザＩＤと対応付けてウェブサイトとして管理し、
前記携帯端末から前記ウェブサイトへのログイン要求を受信すると、そのログイン要求が正当な利用者による要求であるか否かを認証し、正当な利用者による要求であると認証される場合に、当該ウェブサイトへのログインを許可するブラウザ表示機能付き携帯端末の認証方法において、
前記サーバ装置は、
前記個人が任意に設定したパスワード、前記携帯端末に固有に付与された個体識別情報、及び前記個人が前記ユーザＩＤに代えて任意に設定した代理認証番号の少なくとも何れか一つを、前記ウェブサイト及びユーザＩＤに対応付けて登録しておき、
前記携帯端末から前記ウェブサイトへのログイン要求を受信した際、当該ウェブサイトに対応する個体識別情報が登録されている場合は、個体識別情報による認証を行い、当該ウェブサイトに対応する個体識別情報が登録されておらず代理認証番号が登録されている場合は、代理認証番号による認証を行い、当該ウェブサイトに対応する個体識別情報及び代理認証番号が登録されていない場合は、ユーザＩＤによる認証を行い、
前記個体識別情報による認証では、前記携帯端末に記憶されている個体識別情報をＨＴＴＰプロトコルによって当該携帯端末から取得し、前記携帯端末から取得した個体識別情報と前記登録されている個体識別情報を比較して認証を行い、
前記代理認証番号による認証では、代理認証番号の入力画面を表示するための情報を前記携帯端末に送信して、その入力画面を前記携帯端末に表示し、その後、前記携帯端末にて入力されて前記携帯端末から送信される代理認証番号と前記登録されている代理認証番号を比較して認証を行い、
前記ユーザＩＤによる認証では、ユーザＩＤ及びパスワードの入力画面を表示するための情報を前記携帯端末に送信して、それらの入力画面を前記携帯端末に表示し、その後、前記携帯端末にて入力されて前記携帯端末から送信されるユーザＩＤ及びパスワードと前記登録されているユーザＩＤ及びパスワードと比較して認証を行い、
前記ウェブサイトへのログインを許可したとき、まず最初に、当該ウェブサイトに対して前回ログインのあった日時を示す情報を前記携帯端末に送信して、前回ログインのあった日時を前記携帯端末に表示し、その後、前記携帯端末からの要求に応じて、当該ウェブサイトに含まれるウェブ情報を前記携帯端末に送信して、そのウェブ情報を前記携帯端末に表示することを特徴とするブラウザ表示機能付き携帯端末の認証方法。
【請求項２】
インターネットを介して携帯端末の接続されるサーバ装置がインターネットを介して閲覧可能なウェブ情報を記憶し、
前記サーバ装置は、
前記ウェブ情報を個人を識別するユーザＩＤと対応付けてウェブサイトとして管理し、
前記携帯端末から前記ウェブサイトへのログイン要求を受信すると、そのログイン要求が正当な利用者による要求であるか否かを認証し、正当な利用者による要求であると認証される場合に、当該ウェブサイトへのログインを許可するブラウザ表示機能付き携帯端末の認証方法において、
前記サーバ装置は、
前記個人が前記ユーザＩＤに代えて任意に設定した代理認証番号を前記ウェブサイト及びユーザＩＤに対応付けて登録しておき、
前記携帯端末から前記ウェブサイトへのログイン要求を受信した際、代理認証番号の入力画面を表示するための情報を前記携帯端末に送信して、その入力画面を前記携帯端末に表示し、その後、前記携帯端末にて入力されて前記携帯端末から送信される代理認証番号と前記登録されている代理認証番号を比較して認証を行うことを特徴とするブラウザ表示機能付き携帯端末の認証方法。
【請求項３】
インターネットを介して携帯端末が接続されるサーバ装置を備え、
前記サーバ装置は、
インターネットを介して閲覧可能なウェブ情報及び個人を識別するユーザＩＤを記憶する記憶手段と、
前記記憶手段に記憶されるウェブ情報を前記ユーザＩＤと対応付けてウェブサイトとして管理するウェブサイト管理手段と、
前記携帯端末から前記ウェブサイト管理手段により管理されるウェブサイトへのログイン要求を受信すると、そのログイン要求が正当な利用者による要求であるか否かを認証し、正当な利用者による要求であると認証される場合に、当該ウェブサイトへのログインを許可するログイン許可手段と、
前記ログイン許可手段によりウェブサイトへのログインを許可した後、前記携帯端末からの要求に応じて、当該ウェブサイトに含まれるウェブ情報を前記携帯端末に送信して、そのウェブ情報を前記携帯端末に表示するウェブ情報表示手段とを有するブラウザ表示機能付き携帯端末の認証システムにおいて、
前記ウェブサイト管理手段は、前記個人が任意に設定したパスワード、前記携帯端末に固有に付与された個体識別情報、及び前記個人が前記ユーザＩＤに代えて任意に設定した代理認証番号を、前記ウェブサイト及びユーザＩＤに対応付けて前記記憶手段に登録し、
前記ログイン許可手段は、前記個体識別情報により認証を行う個体識別認証手段と、前記代理認証番号により認証を行う代理認証手段と、前記ユーザＩＤ及びパスワードにより認証を行うユーザＩＤ認証手段と、これらの認証手段のうち何れの認証手段により認証を行うかを選択する認証選択手段とを有し、
前記認証選択手段は、前記携帯端末からウェブサイトへのログイン要求を受信した際、前記記憶手段に当該ウェブサイトに対応する個体識別情報が登録されている場合は、前記個体識別認証手段による認証を選択し、前記記憶手段に当該ウェブサイトに対応する個体識別情報が登録されておらず代理認証番号が登録されている場合は、前記代理認証手段による認証を選択し、前記記憶手段に当該ウェブサイトに対応する個体識別情報及び代理認証番号が登録されていない場合は、前記ユーザＩＤ認証手段による認証を選択し、
前記個体識別認証手段は、前記携帯端末に記憶されている個体識別情報をＨＴＴＰプロトコルによって当該携帯端末から取得し、前記携帯端末から取得した個体識別情報と前記記憶手段に登録されている個体識別情報を比較して認証を行い、
前記代理認証手段は、前記代理認証番号の入力画面を表示するための情報を前記携帯端末に送信して、その入力画面を前記携帯端末に表示し、その後、前記携帯端末にて入力されて前記携帯端末から送信される代理認証番号と前記記憶手段に登録されている代理認証番号を比較して認証を行い、
前記ユーザＩＤ認証手段は、前記ユーザＩＤ及びパスワードの入力画面を表示するための情報を前記携帯端末に送信して、それらの入力画面を前記携帯端末に表示し、その後、前記携帯端末にて入力されて前記携帯端末から送信されるユーザＩＤ及びパスワードと前記記憶手段に登録されているユーザＩＤ及びパスワードと比較して認証を行い、
前記ウェブ情報表示手段は、前記ログイン許可手段により前記ウェブサイトへのログインを許可したとき、まず最初に、当該ウェブサイトに対して前回ログインのあった日時を示す情報を前記携帯端末に送信して、前回ログインのあった日時を前記携帯端末に表示し、その後、前記携帯端末からの要求に応じて、当該ウェブサイトに含まれるウェブ情報を前記携帯端末に送信して、そのウェブ情報を前記携帯端末に表示することを特徴とするブラウザ表示機能付き携帯端末の認証システム。
【請求項４】
インターネットを介して携帯端末が接続されるサーバ装置を備え、
前記サーバ装置は、
インターネットを介して閲覧可能なウェブ情報及び個人を識別するユーザＩＤを記憶する記憶手段と、
前記記憶手段に記憶されるウェブ情報を前記ユーザＩＤと対応付けてウェブサイトとして管理するウェブサイト管理手段と、
前記携帯端末から前記ウェブサイト管理手段により管理されるウェブサイトへのログイン要求を受信すると、そのログイン要求が正当な利用者による要求であるか否かを認証し、正当な利用者による要求であると認証される場合に、当該ウェブサイトへのログインを許可するログイン許可手段と、
前記ログイン許可手段によりウェブサイトへのログインを許可した後、前記携帯端末からの要求に応じて、当該ウェブサイトに含まれるウェブ情報を前記携帯端末に送信して、そのウェブ情報を前記携帯端末に表示するウェブ情報表示手段とを有するブラウザ表示機能付き携帯端末の認証システムにおいて、
前記ウェブサイト管理手段は、前記ユーザＩＤに代えて前記個人が任意に設定した代理認証番号を、前記ウェブサイト及びユーザＩＤに対応付けて前記記憶手段に登録し、
前記ログイン許可手段は、前記携帯端末から送信される代理認証番号と前記記憶手段に登録されている代理認証番号を比較して認証を行う代理認証手段を有することを特徴とするブラウザ表示機能付き携帯端末の認証システム。
【発明の詳細な説明】
【技術分野】
【０００１】
本発明は、例えば認証を必要とする携帯電話用ホームページ等の利用者を認証するブラウザ表示機能付き携帯端末の認証方法及び認証システムに関するものである。
【背景技術】
【０００２】
従来から、会員認証を必要とするウェブサイトへのログインには、ユーザＩＤ及びパスワードの入力を利用者に求め、サーバ側データベースにてユーザＩＤ及びパスワードをチェックする方法が一般的に行われている。また、ユーザＩＤ及び携帯端末の製造番号をチェックする方法（例えば、特許文献１参照）や携帯端末の電話番号をチェックする方法（例えば、特許文献２参照）も知られている。また、複数の認証方法の何れかをユーザが選択できる例もある。
【特許文献１】特開２００３−２８１０９７号公報
【特許文献２】特開２００１−３５０９９９号公報
【発明の開示】
【発明が解決しようとする課題】
【０００３】
ところが、上述したユーザＩＤ及びパスワードをチェックする認証方法においては、サービス事業者よりユーザに対して発行されるログイン用のユーザＩＤは、セキュリティ上の理由から、一定の法則を加味してランダムに文字を並べられることが多く、利用者にとっては覚えにくいという不便さがある。このことは、上述した特許文献１に記載のユーザＩＤ及び携帯端末の製造番号をチェックする認証方法においても同様である。そこで、サービス事業者が発行したユーザＩＤを利用者が覚えやすいユーザＩＤに変更できるようにすることが考えられるが、このようにすると、利用者別にサーバシステムに登録されているデータが行方不明になってしまう虞がある。また、携帯端末による文字入力の困難さのため、ユーザＩＤ及びパスワードの入力作業が煩わしいという問題もある。
【０００４】
また、上述した特許文献２に記載の携帯端末の電話番号をチェックする認証方法においては、電話番号は他人が知り得るものであることから、知り得た他人の携帯端末の電話番号を用いて、認証を必要とするウェブサイトに不正にログインされる虞がある。また、上述した複数の認証方法の何れかをユーザが選択できる方法においては、選択という新たな作業が利用者に生じるという問題がある。また、現在使用されている携帯端末の機種数は数百種におよび、各機種の携帯電話機の機能も一様でない。
【０００５】
本発明は、上記課題を解決するためになされたものであり、携帯端末からの簡単な入力作業で認証を行うことができ、ウェブサイトの安全性確保と利便性を両立できるブラウザ表示機能付き携帯端末の認証方法及び認証システムを提供することを目的とする。
【課題を解決するための手段】
【０００６】
上記目的を達成するために請求項１の発明は、インターネットを介して携帯端末の接続されるサーバ装置がインターネットを介して閲覧可能なウェブ情報を記憶し、サーバ装置は、ウェブ情報を個人を識別するユーザＩＤと対応付けてウェブサイトとして管理し、携帯端末からウェブサイトへのログイン要求を受信すると、そのログイン要求が正当な利用者による要求であるか否かを認証し、正当な利用者による要求であると認証される場合に、当該ウェブサイトへのログインを許可するブラウザ表示機能付き携帯端末の認証方法において、サーバ装置は、個人が任意に設定したパスワード、携帯端末に固有に付与された個体識別情報、及び個人がユーザＩＤに代えて任意に設定した代理認証番号の少なくとも何れか一つを、ウェブサイト及びユーザＩＤに対応付けて登録しておき、携帯端末からウェブサイトへのログイン要求を受信した際、当該ウェブサイトに対応する個体識別情報が登録されている場合は、個体識別情報による認証を行い、当該ウェブサイトに対応する個体識別情報が登録されておらず代理認証番号が登録されている場合は、代理認証番号による認証を行い、当該ウェブサイトに対応する個体識別情報及び代理認証番号が登録されていない場合は、ユーザＩＤによる認証を行い、個体識別情報による認証では、携帯端末に記憶されている個体識別情報をＨＴＴＰプロトコルによって当該携帯端末から取得し、携帯端末から取得した個体識別情報と登録されている個体識別情報を比較して認証を行い、代理認証番号による認証では、代理認証番号の入力画面を表示するための情報を携帯端末に送信して、その入力画面を携帯端末に表示し、その後、携帯端末にて入力されて携帯端末から送信される代理認証番号と登録されている代理認証番号を比較して認証を行い、ユーザＩＤによる認証では、ユーザＩＤ及びパスワードの入力画面を表示するための情報を携帯端末に送信して、それらの入力画面を携帯端末に表示し、その後、携帯端末にて入力されて携帯端末から送信されるユーザＩＤ及びパスワードと登録されているユーザＩＤ及びパスワードと比較して認証を行い、ウェブサイトへのログインを許可したとき、まず最初に、当該ウェブサイトに対して前回ログインのあった日時を示す情報を携帯端末に送信して、前回ログインのあった日時を携帯端末に表示し、その後、携帯端末からの要求に応じて、当該ウェブサイトに含まれるウェブ情報を携帯端末に送信して、そのウェブ情報を携帯端末に表示するものである。
【０００７】
請求項２の発明は、インターネットを介して携帯端末の接続されるサーバ装置がインターネットを介して閲覧可能なウェブ情報を記憶し、サーバ装置は、ウェブ情報を個人を識別するユーザＩＤと対応付けてウェブサイトとして管理し、携帯端末からウェブサイトへのログイン要求を受信すると、そのログイン要求が正当な利用者による要求であるか否かを認証し、正当な利用者による要求であると認証される場合に、当該ウェブサイトへのログインを許可するブラウザ表示機能付き携帯端末の認証方法において、サーバ装置は、個人がユーザＩＤに代えて任意に設定した代理認証番号をウェブサイト及びユーザＩＤに対応付けて登録しておき、携帯端末からウェブサイトへのログイン要求を受信した際、代理認証番号の入力画面を表示するための情報を携帯端末に送信して、その入力画面を携帯端末に表示し、その後、携帯端末にて入力されて携帯端末から送信される代理認証番号と登録されている代理認証番号を比較して認証を行うものである。
【０００８】
請求項３の発明は、インターネットを介して携帯端末が接続されるサーバ装置を備え、サーバ装置は、インターネットを介して閲覧可能なウェブ情報及び個人を識別するユーザＩＤを記憶する記憶手段と、記憶手段に記憶されるウェブ情報をユーザＩＤと対応付けてウェブサイトとして管理するウェブサイト管理手段と、携帯端末からウェブサイト管理手段により管理されるウェブサイトへのログイン要求を受信すると、そのログイン要求が正当な利用者による要求であるか否かを認証し、正当な利用者による要求であると認証される場合に、当該ウェブサイトへのログインを許可するログイン許可手段と、ログイン許可手段によりウェブサイトへのログインを許可した後、携帯端末からの要求に応じて、当該ウェブサイトに含まれるウェブ情報を携帯端末に送信して、そのウェブ情報を携帯端末に表示するウェブ情報表示手段とを有するブラウザ表示機能付き携帯端末の認証システムにおいて、ウェブサイト管理手段は、個人が任意に設定したパスワード、携帯端末に固有に付与された個体識別情報、及び個人がユーザＩＤに代えて任意に設定した代理認証番号を、ウェブサイト及びユーザＩＤに対応付けて記憶手段に登録し、ログイン許可手段は、個体識別情報により認証を行う個体識別認証手段と、代理認証番号により認証を行う代理認証手段と、ユーザＩＤ及びパスワードにより認証を行うユーザＩＤ認証手段と、これらの認証手段のうち何れの認証手段により認証を行うかを選択する認証選択手段とを有し、認証選択手段は、携帯端末からウェブサイトへのログイン要求を受信した際、記憶手段に当該ウェブサイトに対応する個体識別情報が登録されている場合は、個体識別認証手段による認証を選択し、記憶手段に当該ウェブサイトに対応する個体識別情報が登録されておらず代理認証番号が登録されている場合は、代理認証手段による認証を選択し、記憶手段に当該ウェブサイトに対応する個体識別情報及び代理認証番号が登録されていない場合は、ユーザＩＤ認証手段による認証を選択し、個体識別認証手段は、携帯端末に記憶されている個体識別情報をＨＴＴＰプロトコルによって当該携帯端末から取得し、携帯端末から取得した個体識別情報と記憶手段に登録されている個体識別情報を比較して認証を行い、代理認証手段は、代理認証番号の入力画面を表示するための情報を携帯端末に送信して、その入力画面を携帯端末に表示し、その後、携帯端末にて入力されて携帯端末から送信される代理認証番号と記憶手段に登録されている代理認証番号を比較して認証を行い、ユーザＩＤ認証手段は、ユーザＩＤ及びパスワードの入力画面を表示するための情報を携帯端末に送信して、それらの入力画面を携帯端末に表示し、その後、携帯端末にて入力されて携帯端末から送信されるユーザＩＤ及びパスワードと記憶手段に登録されているユーザＩＤ及びパスワードと比較して認証を行い、ウェブ情報表示手段は、ログイン許可手段によりウェブサイトへのログインを許可したとき、まず最初に、当該ウェブサイトに対して前回ログインのあった日時を示す情報を携帯端末に送信して、前回ログインのあった日時を携帯端末に表示し、その後、携帯端末からの要求に応じて、当該ウェブサイトに含まれるウェブ情報を携帯端末に送信して、そのウェブ情報を携帯端末に表示するものである。
【０００９】
請求項４の発明は、インターネットを介して携帯端末が接続されるサーバ装置を備え、サーバ装置は、インターネットを介して閲覧可能なウェブ情報及び個人を識別するユーザＩＤを記憶する記憶手段と、記憶手段に記憶されるウェブ情報をユーザＩＤと対応付けてウェブサイトとして管理するウェブサイト管理手段と、携帯端末からウェブサイト管理手段により管理されるウェブサイトへのログイン要求を受信すると、そのログイン要求が正当な利用者による要求であるか否かを認証し、正当な利用者による要求であると認証される場合に、当該ウェブサイトへのログインを許可するログイン許可手段と、ログイン許可手段によりウェブサイトへのログインを許可した後、携帯端末からの要求に応じて、当該ウェブサイトに含まれるウェブ情報を携帯端末に送信して、そのウェブ情報を携帯端末に表示するウェブ情報表示手段とを有するブラウザ表示機能付き携帯端末の認証システムにおいて、ウェブサイト管理手段は、ユーザＩＤに代えて個人が任意に設定した代理認証番号を、ウェブサイト及びユーザＩＤに対応付けて記憶手段に登録し、ログイン許可手段は、携帯端末から送信される代理認証番号と記憶手段に登録されている代理認証番号を比較して認証を行う代理認証手段を有するものである。
【発明の効果】
【００１０】
請求項１の発明によれば、ウェブサイトへログインする際、個体識別情報が登録されている場合は、個体識別情報による認証が選択され、個体識別情報が登録されておらず代理認証番号が登録されている場合は、代理認証番号による認証が選択され、個体識別情報及び代理認証番号が登録されていない場合は、ユーザＩＤによる認証が選択されて、利用者の認証が行われる。そして、個体識別情報による認証では、携帯端末に記録されている個体識別情報が自動的に取得されるため、利用者は、認証のための操作を必要としない。また、代理認証番号による認証では、携帯端末に代理認証番号の入力画面が自動的に表示されるため、利用者は、利用者自身が覚え易い代理認証番号を入力するだけでよく、ユーザＩＤによる認証では、携帯端末にユーザＩＤ及びパスワードの入力画面が自動的に表示されるため、利用者は、ユーザＩＤ及びパスワードを入力するだけでよい。これらの認証は、携帯端末の機種や機能を問わず同様に行われる。このように、ウェブサイトへのログインに認証を必要とするため、ウェブサイトの安全性が確保でき、また、その認証は携帯端末の機種や機能を問わず必要最小限の操作で行えるため、利便性が向上する。
【００１１】
請求項２の発明によれば、ウェブサイトへログインする際、ユーザＩＤに代えて個人が任意に設定した代理認証番号を用いて利用者の認証が行われる。従って、利用者は、利用者自身が覚え易い代理認証番号によって認証を受けることができる。また、携帯端末からウェブサイトへのログイン要求を行うと、携帯端末に代理認証番号の入力画面が自動的に表示されるため、利用者は、利用者自身が覚え易い代理認証番号を入力するだけで認証を行える。この認証は、携帯端末の機種や機能を問わず同様に行われる。このように、ウェブサイトへのログインに認証を必要とするため、ウェブサイトの安全性が確保でき、また、その認証は携帯端末の機種や機能を問わず利用者が覚え易い代理認証番号を用いて簡単な入力作業で行えるため、利便性が向上する。
【００１２】
請求項３の発明によれば、請求項１の発明と同様の効果が得られる。
【００１３】
請求項４の発明によれば、請求項２の発明と同様の効果が得られる。
【発明を実施するための最良の形態】
【００１４】
以下、本発明を具体化した実施形態によるブラウザ表示機能付き携帯端末の認証方法及び認証システムを適用した遠隔見守りシステムについて図面を参照して説明する。図１（ａ）（ｂ）は遠隔見守りシステムの全体構成を示す。この遠隔見守りシステム１は、カメラによる宅内の撮影画像や人体センサによる宅内への侵入者の監視状況等の宅内情報を宅外から確認可能とするサービスを提供するシステムであり、宅内に設置されて宅内情報を得る宅内装置２と、電話回線５、ＩＳＰ（Internet Service Provider）６、及びインターネット７を介して宅内装置２との間で交信されると共に携帯電話回線８及びインターネット７を介して携帯端末３との間で交信されるサーバ装置４（Ｗｅｂサーバ）とを備える。
【００１５】
宅内装置２は、ユーザ宅の例えば子供や老人、ペット等が居る部屋に配置されて、所定の監視エリアをカメラにて撮影すると共に侵入者等を人体センサにより検出し、カメラによる撮影画像や人体センサによる侵入者の監視状況等の宅内情報をサーバ装置４に送信する。宅内装置２は、一般の家電製品と同様にユーザが宅内の適宜の位置に設置し電源投入と電話回線５に接続するだけで、自動的にネットワーク接続設定がなされ、サーバ装置４から制御命令を受信可能となり、また、宅内情報をサーバ装置４にアップロード可能となる。宅内装置２は、電話回線５、ＩＳＰ６、及びインターネット７を介して、サーバ装置４に常時接続される。
【００１６】
サーバ装置４は、インターネット７に接続され、本遠隔見守りシステム１を運営し、本遠隔見守りシステム１によるサービスを提供するコンピュータである。サーバ装置４は、宅内装置２から受信した宅内情報を宅内装置２の利用者、すなわち遠隔見守りシステム１のサービス利用者と対応付けてウェブサイトとして管理する。サーバ装置４は、正当な利用者、すなわち宅内装置２の利用者によって携帯端末３から当該ウェブサイトにログイン要求があると、当該ウェブサイトへのログインを許可し、携帯端末３からの画像転送要求に応じて当該ウェブサイトに含まれる宅内の撮影画像を携帯端末３に送信する。また、サーバ装置４は、ウェブサイトへのログインを許可した状態にて、携帯端末３から宅内装置２を制御するための制御命令の受付けを行い、携帯端末３から受信した制御命令を宅内装置２に転送する。
【００１７】
携帯端末３は、サーバ装置４の管理するウェブサイトにアクセスできるものが利用可能であり、このような携帯端末３としては、インターネット７を介してウェブ情報を表示するためのブラウザ表示機能を有する携帯電話機やＰＤＡ（Personal Digital Assistant）等がある。本遠隔見守りシステム１のサービス利用者は、このような携帯端末３を用いて、サーバ装置４の管理するウェブサイトへログインし、宅内装置２を制御するための制御命令を送信して宅内装置２を制御することができ、また、宅内装置２のカメラにて撮影された画像や人体センサによる侵入者の監視状況等の宅内情報を閲覧することができる。また、携帯端末３以外に、パーソナルコンピュータ等を利用することも可能である。
【００１８】
本遠隔見守りシステム１では、本遠隔見守りシステム１のサービス利用者を個々に識別するユーザＩＤ、及び個々の利用者に対応してサーバ装置４にて管理されるウェブサイトのＵＲＬ（Uniform Resource Locator）が、本遠隔見守りシステム１のサービス提供者から個々のサービス利用者に通知される。
【００１９】
本遠隔見守りシステム１の利用者の認証方法は、ユーザＩＤに加え、携帯端末３に固有に付与された製造番号や電話番号等の個体識別情報、及び利用者がユーザＩＤに代えて任意に設定した代理認証番号によっても、利用者を認証できるようになっている。本遠隔見守りシステム１の利用者の認証方法の詳細については後述する。
【００２０】
図２（ａ）は、遠隔見守りシステム１の遠隔制御時の動作のタイムチャートを示し、図２（ｂ）は、同システムのセンサ反応時の動作のタイムチャートを示す。図１（ａ）及び図２（ａ）を参照して遠隔見守りシステム１の遠隔制御時の動作を説明する。図１（ａ）及び図２（ａ）において、括弧で囲んだ数字は、動作順序であって、それぞれ対応している。（１）まず、本遠隔見守りシステム１のサービス利用者は、携帯端末３を操作して、サーバ装置４の管理するウェブサイトに認証を受けてログインし、宅内装置２を制御するための制御命令を携帯端末３からサーバ装置４に送信する。制御命令としては、画像送信命令、センサ設定命令等がある。画像送信命令は、カメラにて撮影している画像をキャプチャし、その画像をサーバ装置４に送信せよ、という制御命令である。センサ設定命令は、人体センサのセンシング機能を有効又は無効に設定せよ、という制御命令である。
【００２１】
（２）サーバ装置４は、携帯端末３から受信した制御命令を宅内装置２に転送する。（３）そして、宅内装置２は、サーバ装置４から受取った制御命令を実行し、（４）制御命令を実行完了した旨をサーバ装置４に通知する。このとき、例えば、制御命令が画像送信命令であった場合は、（５）宅内装置２は、カメラにて撮影した画像をサーバ装置４に送信し、（６）サーバ装置４は、宅内装置２から送られてきた画像をインターネットを介して閲覧可能なウェブ情報として保存し、その画像を利用者のユーザＩＤと対応付けてウェブサイトとして管理する。（７）その後、サーバ装置４は、制御命令を実行完了した旨を携帯端末３に電子メールで通知する。
【００２２】
利用者は、携帯端末３に届いた電子メールにより制御命令が実行されたことを知る。このとき、例えば、制御命令が画像送信命令であった場合は、（８）利用者は、携帯端末３を操作して、サーバ４の管理するウェブサイトに認証を受けてログインし、画像転送要求を携帯端末３からサーバ装置４に送信する。（９）サーバ装置４は、携帯端末３から画像転送要求を受信すると、ウェブサイトの情報として保存している画像を携帯端末３に送信し、（１０）携帯端末３は、サーバ装置４から送られてきた画像を表示する。利用者は、その表示画像を見ることで宅内の撮影画像を確認することができる。
【００２３】
図１（ｂ）及び図２（ｂ）を参照して遠隔見守りシステム１のセンサ反応時の動作を説明する。図１（ｂ）及び図２（ｂ）において、括弧で囲んだ数字は、動作順序であって、それぞれ対応している。（１）まず、宅内装置２は、人体センサにより侵入者等を検出すると、異常が発生した旨をサーバ装置４に通知すると共に、そのときにカメラにて撮影した画像をサーバ装置４に送信する。サーバ装置４は、（２）宅内装置から送られてきた画像をインターネットを介して閲覧可能なウェブ情報として保存して、その画像を利用者のユーザＩＤと対応付けてウェブサイトとして管理し、（３）異常が発生した旨を携帯端末３に電子メールで通知する。
【００２４】
利用者は、携帯端末３に届いた電子メールにより異常が発生したことを知り、（４）携帯端末３を操作して、サーバ４の管理するウェブサイトに認証を受けてログインし、画像転送要求を携帯端末３からサーバ装置４に送信する。（５）サーバ装置４は、携帯端末３から画像転送要求を受信すると、ウェブサイトの情報として保存している画像を携帯端末３に送信し、（６）携帯端末３は、サーバ装置４から送られてきた画像を表示する。利用者は、その表示画像を見ることで、異常発生時に撮影された画像を確認することができる。
【００２５】
図３は本遠隔見守りシステム１の全体のブロック構成を示す。同システムの宅内装置２の構成及び動作について説明する。宅内装置２は、宅内装置２を制御するためのＣＰＵ等からなる制御部２１を備える。また、宅内装置２は、カメラ２２と、人体センサ２３と、画像処理部２４と、画像メモリ２５と、宅内装置２の各種設定を記憶する設定メモリ２６と、ネットワークと接続するためのモデム２７とを備える。
【００２６】
カメラ２２は、所定の監視エリアを撮影するものであり、制御部２１から入力される制御信号をもとに動作して、所定の監視エリアを撮影する。カメラ２２にて撮影された画像は、その画像信号が制御部２１に入力され、静止画像としてキャプチャされる。人体センサ２３は、不法侵入者等を検出するためのものであり、制御部２１から入力される制御信号をもとに動作し、人体から放射される赤外線を受光することにより、カメラ２２の撮影エリア内の人体の有無を検出する。人体センサ２３による検出結果である人体の有無を示すセンサ信号は、制御部２１に入力される。
【００２７】
画像処理部２４は、カメラ２２にて撮影されて制御部２１によりキャプチャされた静止画像を処理する。画像メモリ２５は、カメラ２２にて撮影されて制御部２１によりキャプチャされた静止画像を記憶する。設定メモリ２６は、本遠隔見守りシステム１の利用者を個々に識別するユーザＩＤ、宅内装置２のＩＰアドレス、サーバ装置４のＩＰアドレスを記憶する。モデム２７は、電話回線５との間で送受信する信号を変調する。
【００２８】
制御部２１は、サーバ装置４から制御命令を受信すると、その制御命令を実行する。すなわち、制御部２１は、制御命令として画像送信命令を受信した場合は、そのときにカメラ２２にて撮影している画像をキャプチャして、その画像をサーバ装置４に送信し、制御命令としてセンサ設定命令を受信した場合は、その命令に応じて人体センサ２３のセンシング機能を有効又は無効に切換えて設定する。そして、制御部２１は、制御命令の実行後、制御命令を実行完了した旨をサーバ装置４に送信する。また、制御部２１は、人体センサ２３によるセンシング機能が有効に設定されている状態では、人体センサ２３にて人体を検出すると、そのときにカメラ２２にて撮影している画像をキャプチャし、その画像及び異常が発生した旨をサーバ装置４に送信する。また、宅内装置２の電源がオンされた場合には、その年月日時刻をサーバ装置４に送信する。制御部２１は、これらの情報をサーバ装置４に送信する際、これらの情報にユーザＩＤを付与する。
【００２９】
次に、携帯端末３の構成及び動作について説明する。携帯端末３は、携帯端末３を制御するためのＣＰＵ等からなる制御部３１と、操作部３２と、表示部３３と、メモリ３４と、送受信部３５と、ネットワークと接続するためのモデム３６とを備える。
【００３０】
操作部３２は、文字・数字・記号等の入力、サーバ装置４の管理するウェブサイトへのログイン、宅内装置２への制御命令の設定、電子メールの送受信、宅内装置２にて撮影された画像の表示等を行うために操作される。操作部３２は、各種の操作キーを有し、これらのキー操作に対応した信号を制御部３１へ入力する。表示部３３は、操作部３２にて入力した文字・数字・記号、受信した電子メールの表示、宅内装置２にて撮影された画像等を表示する。
【００３１】
メモリ３４は、本遠隔見守りシステム１の利用者に対応してサーバ装置４にて管理されるウェブサイトのＵＲＬ、及び携帯端末３の個体識別情報等を記憶する。個体識別情報とは、個々の携帯端末３を識別するために個々の携帯端末に固有に付与された情報であり、携帯端末３の製造番号や電話番号等である。但し、携帯端末３には、個体識別情報がメモリ３４に記憶されていない機種も存在する。送受信部３５は、アンテナ３５ａを介して電波信号の形態で携帯電話回線８との間で信号を送受信する。モデム３６は、携帯電話回線８との間で送受信する信号を変調する。
【００３２】
制御部３１は、操作部３２の操作に応じて、サーバ４の管理するウェブサイトへのログイン要求、利用者の認証に用いられる代理認証番号、ユーザＩＤ、パスワード、宅内装置２を制御するための制御命令、及び画像転送要求等をサーバ装置４に送信する。また、制御部２１は、サーバ装置４からウェブ情報である画像等の宅内情報を受信すると、その宅内情報を表示部３３に表示する。
【００３３】
次に、サーバ装置４の構成及び動作について説明する。サーバ装置４は、サーバ装置４を制御するためのＣＰＵ等からなる制御部（ウェブサイト管理手段、ログイン許可手段、ウェブ情報表示手段、個体識別認証手段、代理認証手段、ユーザＩＤ認証手段、認証選択手段）４１と、ネットワークと接続するためのモデム４２と、画像処理部４３と、記憶装置４４とを備える。モデム４２は、インターネット７との間で送受信する信号を変調する。画像処理部４３は、宅内装置２から受信した画像を処理する。
【００３４】
記憶装置４４は、宅内装置２から受信した宅内の撮影画像をインターネット７を介して閲覧可能なウェブ情報として記憶し、また、本遠隔見守りシステム１の利用者を個々に識別するユーザＩＤ及びパスワード、サーバ装置４のＩＰアドレス、宅内装置２のＩＰアドレス、携帯端末３の個体識別情報、代理認証番号、メールアドレス等を記憶する。
【００３５】
制御部４１は、本遠隔見守りシステム１のサービス利用者別にウェブサイトを管理する。すなわち、制御部４１は、宅内装置２から宅内情報を受信すると、その宅内情報と共に受信されるユーザＩＤを基に、その宅内情報を該当するサービス利用者のウェブサイトのＵＲＬアドレスで指定される記憶装置４４のメモリ領域内に記憶し、その宅内情報を該当するサービス利用者のユーザＩＤと対応付けてウェブサイトとして管理する。そして、携帯端末３からウェブサイトへのログイン要求を受信すると、そのログイン要求が正当な利用者による要求であるか否かを認証し、正当な利用者による要求であると認証される場合に、当該ウェブサイトへのログインを許可する。利用者の認証は、個体識別情報、代理認証番号、又はユーザＩＤ及びパスワードを用いて行われる。利用者の認証方法の詳細については後述する。
【００３６】
制御部４１は、ウェブサイトへのログインを許可した後、まず最初に、当該ウェブサイトに対して前回ログインのあった日時を示す情報を携帯端末３に送信し、その後、宅内装置２を制御するための制御命令、ウェブサイトの画像を送信する画像転送要求、及び代理認証番号の登録要求等を受付ける。そして、制御部４１は、携帯端末３から制御命令を受信すると、その制御命令を該当するユーザＩＤの宅内装置２に転送する。また、制御部４１は、携帯端末３からの画像転送要求を受けて、当該ウェブサイトに含まれる宅内情報を携帯端末３に送信する。また、制御部４１は、携帯端末３からの代理認証番号の登録要求を受けて、携帯端末３から受信した代理認証番号をウェブサイト及びユーザＩＤに対応付けて記憶装置４４に登録する。制御部４１は、代理認証番号を記憶装置４４に登録した後も、ユーザＩＤをキーデータとしてサービス利用者の管理やウェブサイトの管理、ファイルの管理を行い、携帯端末３からの代理認証番号を用いての各種要求に対しては、代理認証番号をユーザＩＤに変換して処理を行う。これにより、サーバ装置４にて保存、管理しているデータが行方不明になることを防止できる。
【００３７】
また、制御部４１は、宅内装置２から制御命令を実行完了した旨を受信すると、その情報と共に受信されるユーザＩＤ等を基に、対応する携帯端末３に電子メールにて制御命令を実行完了した旨を通知する。このとき、制御命令が画像送信命令である場合は、制御命令を実行完了した旨に加え、宅内の撮影画像を受信することになり、制御部４１は、その受信画像を上述のようにユーザＩＤと対応付けてウェブサイトとして管理する。また、制御部４１は、宅内装置２から異常が発生した旨を受信したときにも、同様に、携帯端末３に電子メールにて異常が発生した旨を通知し、その通知と同時に受信した画像を上述のようにユーザＩＤと対応付けてウェブサイトとして管理する。
【００３８】
次に、サーバ装置４の制御部４１による認証方法について、図４のフローチャートを参照して説明する。制御部２１は、携帯端末３よりウェブサイトのＵＲＬが入力されると（＃１）、すなわち携帯端末３からウェブサイトへのログイン要求があると、ＨＴＴＰプロトコルによって携帯端末３に記憶されている個体識別情報を取得する（＃２）。
【００３９】
ここで、当該ログイン要求のあったウェブサイトに対応して記憶装置４４に個体識別情報が登録されていれば（＃３でＹＥＳ）、制御部４１は、携帯端末３から取得した個体識別情報と記憶装置４４に登録されている個体識別情報とを比較して、個体識別情報が一致するか否かにより利用者の認証を行う（＃４）。
【００４０】
また、当該ウェブサイトに対応して記憶装置４４に個体識別情報が登録されておらず（＃３でＮＯ）、当該ウェブサイトに対応して記憶装置４４に代理認証番号が登録されている場合は（＃５でＹＥＳ）、制御部４１は、代理認証番号の入力画面を表示するための情報を携帯端末３に送信して、図５（ａ）に示すように、携帯端末３の表示部３３に代理認証番号の入力画面を表示する（＃６）。図５（ａ）に示す例では、操作部３２の操作により入力された代理認証番号が表示される番号表示エリア５１と、番号表示エリア５１に表示された代理認証番号を確定する際に操作部３２を操作して選択される「ＯＫ」の選択ボタン５２が表示されている。そして、携帯端末３より代理認証番号が入力されると（＃７）、制御部４１は、その入力された代理認証番号と記憶装置４４に登録されている代理認証番号とを比較して、代理認証番号が一致するか否かにより利用者の認証を行う（＃８）。
【００４１】
さらに、当該ウェブサイトに対応して記憶装置４４に個体識別情報及び代理認証番号の何れも登録されていない場合は（＃５でＮＯ）、制御部４１は、ユーザＩＤ及びパスワードの入力画面を表示するための情報を携帯端末３に送信して、図５（ｂ）に示すように、携帯端末３の表示部３３にユーザＩＤ及びパスワードの入力画面を表示する（＃９）。図５（ｂ）に示す例では、操作部３２の操作により入力されたユーザＩＤ及びパスワードが表示されるＩＤ表示エリア５３及びパスワード表示エリア５４と、ＩＤ表示エリア５３及びパスワード表示エリア５４に表示されたユーザＩＤ及びパスワードを確定する際に操作部３２を操作して選択される「ＯＫ」の選択ボタン５５が表示されている。そして、携帯端末３よりユーザＩＤ及びパスワードが入力されると（＃１０）、制御部４１は、その入力されたユーザＩＤ及びパスワードと記憶装置４４に登録されているユーザＩＤ及びパスワードとを比較して、ユーザＩＤ及びパスワードが一致するか否かにより利用者の認証を行う（＃１１）。
【００４２】
そして、個体識別情報が一致するか（＃４でＹＥＳ）、代理認証番号が一致するか（＃８でＹＥＳ）、ユーザＩＤ及びパスワードが一致すれば（＃１１でＹＥＳ）、制御部４１は、当該ウェブサイトへのログインを許可して、前回ログインのあった日時を示す情報を携帯端末３に送信して、図５（ｃ）に示すように、携帯端末３の表示部３３に前回ログインのあった年月日時刻及び端末の種類と、宅内装置２の電源がＯＮにされた年月日時刻を表示する（＃１２）。図５（ｃ）に示す例では、前回ログインのあった年月日時刻として「２００４／０２／１５」「１４：２５」が表示され、端末の種類として「パソコン」が表示され、宅内装置２の電源がＯＮにされた年月日時刻として「２００４／０２／１３  １３：２５」が表示されている。また、これら情報を確認する際に操作部３２を操作して選択される「ＯＫ」の選択ボタン５６が表示されている。その後、制御部４１は、携帯端末３からの要求を受けると、当該ウェブサイトに含まれるコンテンツ（宅内の撮影画像）を携帯端末３に送信して、そのコンテンツを携帯端末３に表示する（＃１３）。
【００４３】
なお、個体識別情報の登録は、初回ログイン時（初回ログイン時は、ユーザＩＤ及びパスワードによる認証が行われる）に、上記＃２の処理により携帯端末３から取得した際に、自動的に行われる。携帯端末３には、個体識別情報を取得できない機種も存在するが、そのような機種の携帯端末３では、上記＃３の処理でＮＯとなって、代理認証番号による認証、又はユーザＩＤ及びパスワードによる認証が行われる。また、代理認証番号の登録は、個体識別情報による認証、又は、ユーザＩＤ及びパスワードによる認証によってログインした際に、利用者が携帯端末３にて所定の操作をすることにより自由に行われ、任意の番号を登録される。
【００４４】
このような認証方法によれば、サーバ装置４の管理するウェブサイトへログインする際、当該ウェブサイトに対応して個体識別情報が登録されている場合は、個体識別情報による認証が自動的に選択されて、携帯端末３から自動的に取得した個体識別番号によって、利用者の認証が行われる。従って、この場合、利用者は、認証のための操作を必要としない。また、個体識別情報が登録されておらず代理認証番号が登録されている場合は、代理認証番号による認証が自動的に選択されて、携帯端末３に代理認証番号の入力画面が自動的に表示される。従って、この場合、利用者は、利用者自身が覚え易い代理認証番号を携帯端末３に入力するだけでよい。さらに、個体識別情報及び代理認証番号の何れも登録されていない場合は、ユーザＩＤによる認証が自動的に選択されて、携帯端末３にユーザＩＤ及びパスワードの入力画面が自動的に表示される。従って、この場合、利用者は、ユーザＩＤ及びパスワードを携帯端末３に入力するだけでよい。
【００４５】
このように、上記認証方法によれば、個体識別情報、代理認証番号、及びユーザＩＤ／パスワードの何れを用いて認証を行うかが自動的に選択されるため、利用者は、認証の方式を選択する必要がない。しかも、各々の方式での認証において、利用者は、必要最小限の操作を行うだけでよい。また、このような認証は、携帯端末３の機種や機能を問わず同様に行われる。
【００４６】
従って、上記認証方法によれば、ウェブサイトへのログインに認証を必要としつつ、その認証は携帯端末３の機種や機能を問わず必要最小限の操作で行えるため、ウェブサイトの安全性確保と利便性を両立することができる。また、このような認証方法を適用した遠隔見守りシステム１によれば、利用者個人の情報が含まれるウェブサイトの安全性が確保でき、また、ウェブサイトへのログイン操作が容易なものとなって利便性が向上する。
【００４７】
なお、本発明は、上記実施形態の構成に限られず、種々の変形が可能である。例えば、上記実施形態において、個体識別情報による認証方式、代理認証番号による認証方式、及びユーザＩＤ／パスワードによる認証方式の何れかを、利用者が携帯端末３を操作して選択できるようにしてもよい。また、本発明の認証方法は、遠隔見守りシステム１に限られず、インターネットを介して携帯端末とサーバ装置との間で通信が行われるシステム全般に適用できるものである。
【図面の簡単な説明】
【００４８】
【図１】（ａ）（ｂ）は本発明の一実施形態に係る遠隔見守りシステムの概略構成を示すシステム構成図。
【図２】（ａ）は同遠隔見守りシステムの遠隔制御時の動作を示すタイムチャート、（ｂ）は同センサ反応時の動作を示すタイムチャート。
【図３】同遠隔見守りシステムの宅内装置とこれに接続されるサーバ装置及び携帯端末の概略構成を示す電気的ブロック構成図。
【図４】同遠隔見守りシステムのサーバ装置による認証方法を示すフローチャート。
【図５】（ａ）は同遠隔見守りシステムのウェブサイトにログインする際の携帯端末での代理認証番号の入力画面の表示例を示す図、（ｂ）は同携帯端末でのユーザＩＤ／パスワードの入力画面の表示例を示す図、（ｃ）は同携帯端末での前回ログインのあった日時の表示画面の表示例を示す図。
【符号の説明】
【００４９】
１    遠隔見守りシステム
２    宅内装置
３    携帯端末
４    サーバ装置
２１    制御部
２２    カメラ
２３    人体センサ
２６    設定メモリ
３１    制御部
３２    操作部
３３    表示部
４１    制御部（ウェブサイト管理手段、ログイン許可手段、ウェブ情報表示手段、個体識別認証手段、代理認証手段、ユーザＩＤ認証手段、認証選択手段）
４４    記憶装置
【図１】
2005332282.tif 000003
【図２】
2005332282.tif 000004
【図３】
2005332282.tif 000005
【図４】
2005332282.tif 000006
【図５】
2005332282.tif 000007